(57)【要約】【課題】保冷材を安価かつ充分に用意でき、身体の冷却も十分に行なうことのできる体温冷却衣が望まれている。【解決手段】体温冷却衣１は、後身頃５を有する衣本体２と、衣本体２の上部に形成された左右の腕用部３，３と、衣本体２の下部に設けられた左右の脚用部４，４とを備えて成り、後身頃５、左右の腕用部３，３および左右の脚用部４，４に、保冷材Ｆを出し入れ可能に収容する収容ポケット８，９，１０が設けられ、腕用部３の収容ポケット９は着用時に着用者の腋窩部と対面する位置に配置され、脚用部４の収容ポケット１０は着用時に着用者の鼠蹊部と対面する位置に配置され、後身頃５、腕用部３および脚用部４のそれぞれの収容ポケット８，９，１０は共通の保冷材Ｆを収容する大きさに形成されている。【選択図】図２
0003205642.tif 000002
【実用新案登録請求の範囲】
【請求項１】
後身頃を有する衣本体と、衣本体の上部に形成された左右の腕用部と、衣本体の下部に設けられた左右の脚用部とを備えて成り、後身頃、左右の腕用部および左右の脚用部に、保冷材を出し入れ可能に収容する収容ポケットがそれぞれ設けられ、左右の腕用部の収容ポケットは着用時に着用者の腋窩部と対面する位置に配置され、左右の脚用部の収容ポケットは着用時に着用者の鼠蹊部と対面する位置に配置されている体温冷却衣であって、
後身頃、腕用部および脚用部のそれぞれの収容ポケットが、共通の保冷材を収容する大きさに形成されていることを特徴とする体温冷却衣。
【請求項２】
後身頃の収容ポケットが後身頃に複数個設けられている請求項１に記載の体温冷却衣。
【請求項３】
後身頃に係合部材を介して着脱自在に装着される布部材を備え、当該布部材に前記後身頃の収容ポケットが設けられている請求項１または請求項２に記載の体温冷却衣。
【請求項４】
布部材が後身頃の上部に係合部材を介して上下反転可能に連結されるとともに、上方に反転した布部材の保冷材により着用者の頭部が冷却される構成にされている請求項３に記載の体温冷却衣。
【請求項５】
保冷材の出し入れ口が後身頃の収容ポケットの側辺部に当該側辺部に沿って形成され、前記収容ポケットの下端が前記収容ポケット内の底部よりも高い位置に設定されている請求項１から請求項４までのいずれか一項に記載の体温冷却衣。
【考案の詳細な説明】
【技術分野】
【０００１】
本考案は、冷蔵庫などで冷やした保冷材を用いて体温を下げる体温冷却衣に関するものである。
【背景技術】
【０００２】
従前は、高熱を出すと額や後頭部に冷タオルや冷却材を当てて体温を下げるようにされていた。しかしながら、幼児は高熱があっても安静に寝させていることが難しく、冷タオルや冷却材を当てても手で払い除けてしまうことが多い。それでも、脱水症状や熱性けいれんのおそれがある場合は、迅速に解熱しなければならない。
【０００３】
そこで、この種の体温冷却衣として、例えば下記の特許文献１に記載されているものが開発されてきた。下記文献記載の体温冷却衣は、後身頃を有する衣本体と、衣本体の上部に形成された左右の腕用部と、衣本体の下部に設けられた左右の脚用部とを備えて構成されている。そして、後身頃、左右の腕用部および左右の脚用部に、保冷材を出し入れ可能に収容する収容ポケットがそれぞれ設けられている。左右の腕用部の収容ポケットは着用時に着用者の腋窩部と対面する位置に配置され、左右の脚用部の収容ポケットは着用時に着用者の鼠蹊部と対面する位置に配置されている。そして、腕用部および脚用部の収容ポケットに収容される保冷材は小サイズのものが用いられ、それよりも数倍大きなサイズの保冷材が後身頃の収容ポケットに使用されている。
【０００４】
前記文献記載の体温冷却衣によれば、後身頃、腕用部および脚用部の収容ポケットに収容された保冷材により背中、腋窩部および鼠蹊部が冷却されるので、着用者の体温を迅速に下げ得るとされている。また、衣本体を平面状に展開できるので、体温冷却衣の着用後でも腋窩部の検温や腹胸部の聴診などを簡単に行なえるとされている。
【先行技術文献】
【特許文献】
【０００５】
【特許文献１】特開２００６−２８６６５号公報
【考案の概要】
【考案が解決しようとする課題】
【０００６】
ところで、上記した従来の体温冷却衣では、後身頃、腕用部および脚用部の各収容ポケットの大きさがそれぞれ異なっており、それぞれの収容ポケットには異なる大きさの保冷材が使用される。そのために、大きさの異なる収容ポケットに合致したサイズの保冷材を個別に用意しておかなければならなかったのである。また、いずれかの保冷材が破損や紛失などにより足りなくなったりしたときは、体の冷却が局部的に偏ったり不充分になるという懸念があった。特に、後身頃の保冷材は高価で大サイズであるため、他の部位の保冷材として使用できないという問題もあった。
【０００７】
本考案は、上記した従来の問題点に鑑みてなされたものであって、保冷材を安価かつ充分に用意でき、身体の冷却も十分に行なうことのできる体温冷却衣の提供を目的とする。
【課題を解決するための手段】
【０００８】
上記目的を達成するために、本考案に係る体温冷却衣は、後身頃を有する衣本体と、衣本体の上部に形成された左右の腕用部と、衣本体の下部に設けられた左右の脚用部とを備えて成り、後身頃、左右の腕用部および左右の脚用部に、保冷材を出し入れ可能に収容する収容ポケットがそれぞれ設けられ、左右の腕用部の収容ポケットは着用時に着用者の腋窩部と対面する位置に配置され、左右の脚用部の収容ポケットは着用時に着用者の鼠蹊部と対面する位置に配置されている体温冷却衣であって、後身頃、腕用部および脚用部のそれぞれの収容ポケットが、共通の保冷材を収容する大きさに形成されていることを特徴とする構成にしてある。
【０００９】
また、前記構成において、後身頃の収容ポケットが後身頃に複数個設けられているものである。
【００１０】
そして、前記した各構成において、後身頃に係合部材を介して着脱自在に装着される布部材を備え、当該布部材に前記後身頃の収容ポケットが設けられているものである。
【００１１】
更に、前記請求項３の構成において、布部材が後身頃の上部に係合部材を介して上下反転可能に連結されるとともに、上方に反転した布部材の保冷材により着用者の頭部が冷却される構成にされているものである。
【００１２】
また、前記した各構成において、保冷材の出し入れ口が後身頃の収容ポケットの側辺部に当該側辺部に沿って形成され、前記出し入れ口の下端が前記収容ポケット内の底部よりも高い位置に設定されているものである。
【考案の効果】
【００１３】
本考案に係る体温冷却衣によれば、後身頃、腕用部および脚用部のそれぞれの収容ポケットが共通の保冷材を収容する大きさに形成されているので、後身頃、腕用部および脚用部のいずれの収容ポケットにも、例えば小サイズで共通の保冷材を使用できる。これにより、小サイズの保冷材１種類を用意するだけで済み、安価であるから予備の保冷材も大きな負担なしに用意できる。従って、保冷材が破損したり紛失したりしても、全ての収容ポケットを保冷材で満たして使用でき、必要冷却箇所の全てを充分に冷却することができる。
【００１４】
また、後身頃の収容ポケットが後身頃に複数個設けられているものでは、着用者の体格に応じて収容ポケットの数を適宜に選定できるし、後身頃における所望位置に収容ポケットを設けることができる。従って、着用者の背中を広い範囲にわたって効果的に冷却することができる。
【００１５】
そして、後身頃に係合部材を介して着脱自在に装着される布部材を備え、その布部材に後身頃の収容ポケットが設けられているものでは、布部材および保冷材を複数組用意しておけば、着用者が衣本体および脚用部を装着している状態で、後身頃から保冷材入りの布部材を簡単かつ迅速に取り替えることができる。これにより、布部材の保冷材の冷却能力が低下してきたときも、広い面積の背中の冷却を取り替えにより充分に行なうことができる。
【００１６】
更に、布部材が後身頃の上部に係合部材を介して上下反転可能に連結されたものでは、上方に反転した布部材の保冷材により着用者の頭部が冷却されるから、背中などの胴体よりもむしろ頭部や頸部の体温が高いときなどに、布部材を反転させて頭部や頸部の下方位置に収容ポケットを配することにより、布部材の保冷材で頭部や頸部を冷やすことができる。
【００１７】
また、保冷材の出し入れ口が後身頃の収容ポケットの側辺部に当該側辺部に沿って形成され、出し入れ口の下端が収容ポケット内の底部よりも高い位置に設定されているものでは、出し入れ口の側方から保冷材が収容ポケット内に装入されると、出し入れ口の下端が保冷材の邪魔になるので、出し入れ口からの保冷材の飛び出しを防ぐことができる。
【図面の簡単な説明】
【００１８】
【図１】本考案の一実施形態に係る体温冷却衣の正面図である。
【図２】前記体温冷却衣の背面図である。
【図３】前記体温冷却衣の衣本体を展開した状態の背面図である。
【図４】前記体温冷却衣の脚用部を展開した状態の背面図である。
【図５】前記体温冷却衣の布部材およびポケット群を示す図であって、（ａ）は拡大背面図、（ｂ）は拡大正面図である。
【図６】前記体温冷却衣の布部材およびポケット群を示す図であって、（ａ）は図５（ａ）におけるＡ−Ａ線矢視端面図、（ｂ）は（ａ）に対応した端面図であって遮蔽板を装入した状態説明図である。
【図７】本考案の別の実施形態に係る布部材およびポケット群を示す図であって、（ａ）は別の実施形態に係る拡大正面図、（ｂ）は更に別の実施形態に係る拡大正面図である。
【図８】本考案のまた更に別の実施形態に係る布部材およびポケット群を示す図であって、（ａ）はまた更に別の実施形態に係る拡大正面図、（ｂ）は（ａ）の布部材を有する体温冷却衣を用いた使用態様を示す態様説明図である。
【図９】本考案の他の実施形態に係る布部材およびポケット群を示す図であって、（ａ）は他の実施形態に係る拡大正面図、（ｂ）は更に他の実施形態に係る拡大正面図である。
【考案を実施するための形態】
【００１９】
本考案の実施形態を図面に基づいて説明する。尚、以下に述べる実施形態は本考案を具体化した一例に過ぎず、本考案の技術的範囲を限定するものでない。図１は本考案の一実施形態に係る体温冷却衣の正面図、図２は前記体温冷却衣の背面図、図３は前記体温冷却衣の衣本体を展開した状態の背面図、図４は前記体温冷却衣の脚用部を展開した状態の背面図、をそれぞれ示している。尚、下記するいくつかの実施形態において、同種の構成および機能を有する構成要素には、同じ符号を付しただけで説明を省略することがある。
各図において、この実施形態に係る体温冷却衣１は、体温冷却衣１は、衣本体２と、衣本体２の上部に形成された左右の腕用部３，３と、衣本体２の下部に設けられた左右の脚用部４，４と、を備えて構成されている。前記の衣本体２は、着用者Ｍ（図８（ｂ）参照）の背中にあてがわれる後身頃５と、着用者Ｍの腹部にあてがわれる左右の前身頃７，７と、後身頃５と左右の前身頃７，７との間に配されて縫着されたマチ布６，６と、から構成されている。衣本体２において、後身頃５および前身頃７は例えばポリエステル製のメッシュ布地で形成され、マチ布６は例えばポリエステル製や木綿製で伸縮性および吸汗性を有する織布で形成されている。脚用部４は例えばポリエステル製のメッシュ布地で形成されている。無論、前記した素材以外のものでも、肌触りと着心地の良い生地であれば用いることが可能である。
【００２０】
後身頃５上端の左右の肩部５Ａ，５Ａには、面ファスナの鉤体またはループ体である係合片１１がそれぞれ縫着されている。一方、前身頃７上端の左右の肩部７Ａ，７Ａには、面ファスナのループ体または鉤体である係合片１２がそれぞれ縫着されている。これらの係合片１１と係合片１２とが係合部材１３を構成しており、これらが係脱自在に係合することによって、肩部５Ａ，７Ａが連結されてリング状の腕用部３となり、着用者Ｍの腕を通せるようになっている。左側の前身頃７の背面辺部には、面ファスナの鉤体またはループ体である係合片１４，１４が縫着されており、右側の前身頃７の正面辺部には、面ファスナのループ体または鉤体である係合片１５，１５が縫着されている。これらの係合片１４と係合片１５とが係合部材１６を構成しており、これらが係脱自在に係合することによって、重ね合わせた前身頃７，７が前留めされる。各腕用部３の下部外面すなわち各マチ布６の上部外面に配置されたポケット用布２０は上辺が開口した袋状に縫着され、ポケット用布２０内は保冷材Ｆを出し入れ可能に収容する収容ポケット９となっている。ポケット用布２０の上辺とマチ布６との間は、保冷材Ｆを出し入れするための出し入れ口２１となっている。これら左右の腕用部３，３の収容ポケット９，９は、着用時に着用者Ｍの腋窩部と対面する位置に配置される。
【００２１】
また、左右の前身頃７の正面下部には、係合ボタン１７，１７が取り付けられている。一方、各脚用部４の背面上部には、係合ボタン１８，１８が取り付けられている。これらの係合ボタン１７と係合ボタン１８とが係合部材１９を構成しており、これらが係脱自在に係合することによって、左右の脚用部４，４が左右の前身頃７，７に取り付けられる。一方、各脚用部４の背面上部に配置されたポケット用布３３は上辺が開口した袋状に縫着されている。このポケット用布３３内は保冷材Ｆを出し入れ可能に収容する収容ポケット１０となっている。ポケット用布３３の上辺と脚用部４の布地との間は、保冷材Ｆを出し入れするための出し入れ口３４となっている。これら左右の脚用４，４の収容ポケット１０，１０は、着用時に着用者Ｍの鼠蹊部と対面する位置に配置される。各脚用部４の正面上部には面ファスナの鉤体またはループ体である係合片３０が縫着されており、各脚用部４の背面下部には面ファスナのループ体または鉤体である係合片３１が縫着されている。これらの係合片３０と係合片３１とが係合部材３２を構成しており、脚用部４の下部が巻き回されて上部に重ね合わせられ、係合片３０と係合片３１とが係合することによって  脚用部４が筒状に保持される。
【００２２】
そして、この実施形態の体温冷却衣１は、図３、図５および図６（ａ）に示すように、後身頃５の背面に添え付けられる背面視長方形状の布部材２２を備えている。この布部材２２の正面の左右両側部には、面ファスナの鉤体またはループ体である縦長の係合片２７，２７が縫着されている。布部材２２の正面下部には、面ファスナの鉤体またはループ体である横長の係合片２４が縫着されている。一方、後身頃５の背面の左右両側部には、面ファスナのループ体または鉤体である縦長の係合片２８，２８が縫着されている。後身頃５の背面下部には、面ファスナのループ体または鉤体である横長の係合片２５が縫着されている。布部材２２の係合片２７と後身頃５の係合片２８とが係合部材２９を構成しており、布部材２２の係合片２４と後身頃５の係合片２５とが係合部材２６を構成しており、これらが係脱自在に係合することによって、布部材２２が後身頃５の背面５ａに着脱可能に装着される。
【００２３】
そして、布部材２２の正面における、係合片２７，２７および係合片２４で囲まれた部分の内側には大判のポケット用布２３が配置され、布目Ｓで示すように縫着されている。この布目Ｓにより例えば６個の収容ポケット８，８，８，・・・から成るポケット群Ａが形成される。ポケット用布２３において、各収容ポケット８の上部には横長の出し入れ口３５がそれぞれ形成されている。これらの収容ポケット８および出し入れ口３５は、保冷材Ｆを個々に出し入れ自在に収容できる大きさおよび形状に形成されている。すなわち、後身頃５、腕用部３，３および脚用部４，４のそれぞれの収容ポケット８，８，８，８，８，８、９，９、１０，１０は、それぞれ共通の保冷材Ｆを収容する大きさおよび形状（この例では保冷材Ｆよりも大きなサイズの矩形状）に形成されている。各収容ポケット８，９，１０の出し入れ口３５，２１，３４も、共通の保冷材Ｆを出し入れ可能な大きさおよび形状に形成されている。そして、前記した保冷材Ｆは、保冷剤Ｒが例えばポリエチレン製の密閉袋３６内に充填密封されたものである。密閉袋３６は四辺が熱溶着により封着されたものであるが、三辺封着のものを用いることもできる。保冷剤Ｒとしては、水凍結温度でも軟質性を保っている例えばエチレングリコール、グリセリンなどの液体を主成分として用いている。
【００２４】
上記のように構成された体温冷却衣１の作用を次に説明する。この体温冷却衣１は保冷材の冷たさを緩和するためにパジャマや普段着の上からの着用が望ましい。但し、素肌に直に着用することも可能である。使用に先立って、衣本体２が展開される。そして、予め冷蔵庫などで冷やしておいた共通の保冷材Ｆがそれぞれ収容ポケット８，９，１０に収容される。そうして、上記のように展開された衣本体２をベッドなどの上に置き、この衣本体２上に着用者Ｍを仰向けに寝かせる。すると、布部材２２の収容ポケット８，８，８，・・・内の保冷材Ｆが後身頃５を隔てて着用者Ｍの背中に密着するので、間接的に心臓が冷やされる。次に、着用者Ｍの胴部に右の前身頃７を被せ、この前身頃７の上に左の前身頃７を重ね、係合片１５に係合片１４を係合させて左右の前身頃７，７を留める。そして、係合片１２に係合片１１を係止させて腕用部３を固定する。これにより、着用者Ｍの腋下部に、収容ポケット９の保冷材Ｆが対面する。続いて、各脚用部４を大腿部に巻き付けて係合片３１を係合片３０に係止させて脚用部４を固定する。これにより、着用者Ｍの鼠蹊部に、収容ポケット１０の保冷材Ｆが対面する。これらによって、収容ポケット８，９，１０のそれぞれの保冷材Ｆが着用者Ｍの背中、腋下部および鼠蹊部を冷却して体温を迅速に低下させるのである。
【００２５】
以上に述べたように、この実施形態の体温冷却衣１によれば、後身頃５、腕用部３および脚用部４のいずれの収容ポケット８，９，１０にも、例えば小サイズで共通の保冷材Ｆを使用できる。これにより、小サイズで１種類の保冷材Ｆを用意するだけで済む。この保冷材Ｆは安価であるから、予備の保冷材Ｆも大きな負担なしに購入して用意できる。従って、保冷材Ｆが破損したり紛失したりしても、全ての収容ポケット８，９，１０を保冷材Ｆで満たして使用でき、体の必要冷却箇所の全てを充分に冷却することができる。また、着用者Ｍの体格に応じて後身頃５の収容ポケット８の数を適宜に選定できるし、後身頃５における所望位置に収容ポケット８を設けることができる。従って、着用者Ｍの背中を効果的に冷却することができる。そして、布部材２２および保冷材Ｆを複数組用意しておけば、着用者Ｍが衣本体２および脚用部４，４を装着している状態で、後身頃５から保冷材Ｆ入りの布部材２２を簡単かつ迅速に取り替えることができる。これにより、布部材２２の保冷材Ｆの冷却能が低下してきた場合でも、冷却済み保冷材Ｆ入りの布部材２２の取り替えにより、背中を継続して充分に冷やすことができる。
尚、着用者Ｍの受ける冷却感が強すぎる場合は、図６（ｂ）に示すように、布部材２２のポケット用布２３と後身頃５の内面（正面）との間に、断熱性を有する遮蔽板３７を介装させて使用するとよい。
【００２６】
尚、上記の実施形態では、横長の出し入れ口３５を収容ポケット８の上部に形成したが、本考案の体温冷却衣はそれに限定されるものでない。例えば、図７（ａ）に示すポケット群Ａ１を有する布部材２２を持つものも、本考案に含まれる。この体温冷却衣１では、保冷材Ｆの出し入れ口３５ａがポケット用布２３の各収容ポケット８の側辺部８Ｃにその側辺部８Ｃに沿って縦長に形成されている。また、出し入れ口３５ａの下端３５Ａが、収容ポケット８内の底部８Ａよりも高い位置にあるように設定されている。出し入れ口３５ａの下端３５Ａと収容ポケット８内の底部８Ａとの高さの差は、高さｄ１である。
【００２７】
一方で、図７（ｂ）に示すポケット群Ａ２を有する布部材２２を持つものも、本考案に含まれる。この体温冷却衣１では、布部材２２に縫い付けられるポケット用布２３の縫目Ｓが、各収容ポケット８の左右の側辺部では省かれていて、その部分がそれぞれ保冷材Ｆの出し入れ口３５ｂになっている。また、出し入れ口３５ｂの下端３５Ｂ（縫目Ｓの立ち上がり部分）が、収容ポケット８内の底部８Ｂよりも高い位置にあるように設定されている。出し入れ口３５ｂの下端３５Ｂと収容ポケット８内の底部８Ｂとの高さの差は、高さｄ２である。また、この体温冷却衣１では、図７（ａ）の係合部材２６，２９，２９よりも短い係合部材２９ａが６か所使用されている。係合部材２９ａの係合片２７ａ，２７ａ，２７ａ，・・・は布部材２２の正面の左右側辺に縫着され、これらと対面する位置の後身頃５の背面５ａに係合部材２９ａの係合片２８ａ，２８ａ，２８ａ，・・・が縫着されている。
【００２８】
上記のように、図７（ａ），（ｂ）に示したポケット群Ａ１，Ａ２を有する体温冷却衣１によれば、保冷材Ｆの出し入れ口３５ａ，３５ｂが後身頃５の収容ポケット８の側辺部８Ｃにその側辺部８Ｃに沿って縦長に形成され、出し入れ口３５ａ，３５ｂの下端３５Ａ，３５Ｂが収容ポケット８内の底部８Ａ，８Ｂよりも高い位置に設定されているので、出し入れ口３５ａ，３５ｂの側方から保冷材が収容ポケット８内にいったん装入されると、出し入れ口３５ａ，３５ｂの下端３５Ａ，３５Ｂが保冷材Ｆの出入りの邪魔をするので、出し入れ口３５ａ，３５ｂからの保冷材Ｆの飛び出しが防止される。
【００２９】
そして、図８（ａ）に示すポケット群Ａ３を有する布部材２２を持つ体温冷却衣１が例示される。この体温冷却衣１では、図７（ｂ）のものに近い構造であるが、布部材２２の正面の上辺部２２Ａに、面ファスナの鉤体またはループ体である横長の係合片４０が縫着されている。一方、後身頃５の背面５ａの上部５Ｂには、面ファスナのループ体または鉤体である横長の係合片４１が縫着されている。布部材２２の係合片４０と後身頃５の係合片４１とは係合部材４２を構成しており、これらが係脱自在に係合することによって、布部材２２が後身頃５の背面５ａに着脱可能に装着される。そして、布部材２２は、最上位置の収容ポケット８，８と係合片４０との間の１点鎖線で示す折り目Ｕで折り返されて、矢印Ｔのように反転するようになっている。
【００３０】
前記したポケット群Ａ３を有する体温冷却衣１では、図８（ｂ）に示すように、着用者Ｍの胴体よりもむしろ頭部Ｎや頸部の体温が高いときなどに、布部材２２が後身頃５に対して折り目Ｕの位置で矢印Ｔのように反転されて頭部Ｎや頸部の下方位置に収容ポケット８が配される。これにより、上方に反転した布部材２２の保冷材Ｆによって、着用者Ｍの頸部および頭部Ｎを冷やすことができる。
【００３１】
そして、図９（ａ）に示すポケット群Ａ４を有する布部材２２を持つものも、本考案に含まれる。この体温冷却衣１では、布部材２２の正面に、面ファスナの鉤体またはループ体である十字架状の係合片４４が縫着されている。一方、ポケット用布２３の背面で前記の係合片４４と対面する位置には、面ファスナのループ体または鉤体である十字架状の係合片４３が縫着されている。布部材２２の係合片４４とポケット用布２３の係合片４３とは係合部材４５を構成しており、これらが係脱自在に係合することによって、布部材２２がポケット用布２３に着脱可能に装着され、その結果として４つの収容ポケット８，８，８，８が形成される。更に、ポケット用布２３背面の四隅に縫着された係合片４６，４６，４６，４６と、布部材２２正面の四隅に縫着された係合片４７，４７，４７，４７とから、係合部材４８が構成される。前記の構成により、保冷材Ｆの縦長の出し入れ口３５ｃがポケット用布２３の各収容ポケット８の側辺部に形成される。また、布部材２２と後身頃５は、係合部材２６，２９ａ，２９ａを介して着脱自在に連結される。
【００３２】
そうして、以上では、大判のポケット用布２３を布部材２２に用いた例を示したが、本考案はそれらに限られない。例えば、図９（ｂ）に示すポケット群Ａ５を有する布部材２２を持つものを示す。この体温冷却衣１のポケット群Ａ５は図５（ｂ）に示したポケット群Ａとよく似た構造であるが、大サイズのポケット用布２３に替えて、６枚の小サイズのポケット用布２３ａ，２３ａ，２３ａ，・・・を用いた点が主に異なるところである。このポケット群Ａ５は、製作コストなどの点でポケット群Ａのものよりも高価になるが、このようなものも本考案に含まれる。
【００３３】
また、上記では、後身頃５の収容ポケット８の数を６つまたは４つに設定したが、本考案における後身頃の収容ポケットの数はそれらに限らず、例えば２つ、３つ、５つ、あるいは７つ以上であっても構わない。但し、背中は広いし共通の保冷材は小サイズなので、現実的には収容ポケットの数を４つ以上とすることが好ましい。
そして、上記では、係合部材１３，１６，２６，２９，２９ａ，３２，４２，４５，４８として、面ファスナの鉤体とループ体を用いたが、本考案の係合部材としては、面ファスナに替えて、雌雄ボタン、ボタンとボタン穴、紐、フックなどを用いることも可能である。係合部材１９も、係合ボタン１７，１８に替えて面ファスナなどを用いてもよい。
また、上記では、いずれも後身頃５に対して着脱可能な布部材２２を備えた体温冷却衣を例示したが、本考案はそれらに限定されない。例えば、布部材２２を省略し、ポケット用布を後身頃５に直に縫着して、複数の収容ポケットを直接後身頃５に設けるようにしても構わない。
【００３４】
尚、本考案は、前記実施の形態に限定されるものではなく、本考案の分野における通常の知識を有する者であれば想到し得る、各種変形、修正を含む、本考案の要旨を逸脱しない範囲の設計変更があっても、本考案に含まれることは勿論である。
【符号の説明】
【００３５】
１  体温冷却衣
２  衣本体
３  腕用部
４  脚用部
５  後身頃
８，９，１０  収容ポケット
８Ａ，８Ｂ  底部
８Ｃ  側辺部
２１，３４，３５，３５ａ，３５ｂ，３５ｃ  出し入れ口
２２  布部材
２２Ａ  上辺部
２３，２３ａ  ポケット用布
２６，２９，２９ａ，４２，４５  係合部材
３５Ａ，３５Ｂ  下端
Ａ，Ａ１，Ａ２，Ａ３，Ａ４，Ａ５  ポケット群
ｄ１，ｄ２  高さ
Ｆ  保冷材
Ｍ  着用者
Ｎ  頭部
Ｓ  縫目
Ｕ  折り目
【図１】
0003205642.tif 000003
【図２】
0003205642.tif 000004
【図３】
0003205642.tif 000005
【図４】
0003205642.tif 000006
【図５】
0003205642.tif 000007
【図６】
0003205642.tif 000008
【図７】
0003205642.tif 000009
【図８】
0003205642.tif 000010
【図９】
0003205642.tif 000011